(57)【要約】【課題】砕石、土砂等の搬送に使用されるベルトコンベヤにおいて、あまりコストをかけずに、しかも搬送ベルトを傷めることなく、搬送ベルトの表面に付着した付着物を確実に除去することのできる付着物除去装置を提供する。【解決手段】  搬送ベルト１の搬送面と平行かつ移動方向と交差する方向の回動中心軸を中心に回動自在な支持体１１を設け、該支持体の一方の端部に搬送面に当接するように第一当接体１４を取り付けるとともに、他方の端部に搬送面の反対面に当接するように第二当接体１５を取り付け、さらに、搬送ベルト１を挟んで第二当接体１５と対向する位置に、薄肉の端部が搬送面に交差する角度で当該搬送面に当接するようにスクレーパ１７を支持体１１に固定して取り付ける。【選択図】図４
2005263407.tif 000002
【特許請求の範囲】
【請求項１】
ベルトコンベヤの搬送ベルト表面に付着した付着物を除去する付着物除去装置であって、搬送面が下方に面する状態で移動する搬送ベルトの戻り経路の近傍に、該搬送ベルトの搬送面と平行かつ移動方向と交差する方向の回動中心軸を中心に回動自在な支持体を設け、該支持体の一方の端部に搬送面に当接するように第一当接体を取り付けるとともに、他方の端部に搬送面の反対面に当接するように第二当接体を取り付けたことを特徴とするベルトコンベヤの付着物除去装置。
【請求項２】
第一当接体及び第二当接体が、搬送面と平行かつ移動方向と交差する方向の回転中心軸を中心に回転自在なローラである請求項１に記載のベルトコンベヤの付着物除去装置。
【請求項３】
第一当接体が、薄肉の端部が搬送面に交差する角度で当該搬送面に当接するように支持体に固定されたスクレーパであり、かつ、第二当接体が、搬送面と平行かつ移動方向と交差する方向の回転中心軸を中心に回転自在なローラである請求項１に記載のベルトコンベヤの付着物除去装置。
【請求項４】
第一当接体及び第二当接体が、搬送面と平行かつ移動方向と交差する方向の回転中心軸を中心に回転自在なローラであり、さらに、搬送ベルトを挟んで第二当接体と対向する位置に、薄肉の端部が搬送面に交差する角度で当該搬送面に当接するようにスクレーパが支持体に固定して設けられている請求項１に記載のベルトコンベヤの付着物除去装置。
【発明の詳細な説明】
【技術分野】
【０００１】
本発明は、ベルトコンベヤの搬送ベルト表面に付着した付着物を除去する付着物除去装置に関する。
【背景技術】
【０００２】
砕石、土砂等の搬送に使用されるベルトコンベヤは、使用時、砕石や土砂に含まれる粘土質の土に水分が混じって搬送ベルトの表面に付着する。これをそのまま放置しておくと、ベルトコンベヤの搬送能力が低下するとともに、ベルトコンベヤを駆動するのに要するエネルギーが増加するので、搬送ベルトの表面に付着した付着物は速やかに除去する必要がある。
【０００３】
搬送ベルトに付着した付着物を除去する装置として、例えば特許文献１〜４に記載されたものがある。
【特許文献１】特開２００３−３１２８３２号公報
【特許文献２】特開２００１−１５１３３３号公報
【特許文献３】特開２００１−４８３３７号公報
【特許文献４】実開平０６−５６０２８号公報
【０００４】
特許文献１に記載のものは、「搬送ベルトＬ」の表面に圧接されるブレード状の「掻き取り部５」を「揺動機構部６」により「搬送ベルトＬ」の幅方向に揺動させて、「掻き取り部５」による付着物の掻き取り効率を向上させる構成である。
【０００５】
特許文献２に記載のものは、「高圧気体供給手段２１」から供給される高圧気体を「スリット２３」から噴射させて、「ベルトコンベヤ１」に付着した「粉体（付着物）１０ａ」を除去する構成である。
【０００６】
特許文献３に記載のものは、リターン側ベルトに押し付けられ、「ベルト１」の移動に伴って回転する「ローラ５」の回転を「チェーン伝動機構６」を介して「回転ブラシ４」に伝え、この「回転ブラシ４」を「ベルト１」の移動方向と逆向きに回転させることにより、「ベルト１」に付着する粉粒体を掻き取る構成である。
【０００７】
特許文献４に記載のものは、「ベルト本体４」の下側回転側部の上面に「連続回転体１１」の周面を当接させると共に、「ベルト本体４」の下側回転側部の下面に「付着物除去用回転体１３」の周面を当接させ、「連続回転体１１」の回転を「駆動機構５」を介して「付着物除去用回転体１３」に伝え、この「付着物除去用回転体１３」の回転により「ベルト本体４」の表面に付着した付着物を除去する構成である。
【発明の開示】
【発明が解決しようとする課題】
【０００８】
これら従来の装置には、それぞれに下記の問題点がある。
【０００９】
特許文献１に記載のものは、ブレード状の「掻き取り部５」が「搬送ベルトＬ」の幅方向に揺動するようになっているが、ベルト面と交差する方向へは移動しないので、「搬送ベルトＬ」が波打ち状に脈動している場合、「掻き取り部５」が「搬送ベルトＬ」に接触しない瞬間が生じ、「搬送ベルトＬ」の付着物を完全に除去することができない。また、前記脈動によって「搬送ベルトＬ」が「掻き取り部５」に押し当てられるときや、「搬送ベルトＬ」に多量の付着物がついているときに、「搬送ベルトＬ」の表面に強い圧力がかかるため、「搬送ベルト」が傷みやすいのではないかと思われる。
【００１０】
特許文献２に記載のものは、「高圧気体供給手段２１」が必要であるとともに、高圧気体を噴射するためのエネルギーが要るので、設備コスト及びランニングコストが高くつく。このため、当該文献中に記載されているように、粒状洗剤のような粉体を輸送する特別なベルトコンベヤを除き、砕石、土砂等の搬送に使用される一般的なベルトコンベヤにはあまり適さない。
【００１１】
特許文献３に記載のものは、柔軟性のある「回転ブラシ４」を「ベルト１」に接触させて回転させることにより「ベルト１」に付着する粉粒体を掻き取るものであるから、粘土質の土と水分とが混じりあって固化した硬い付着物を除去するのには効率が悪いうえ、「回転ブラシ４」の損傷が大きいと思われる。
【００１２】
最後に、特許文献４に記載のものは、同文献中に「同付着物除去用回転体は周面がベルト本体の下面に当接した状態で、同ベルト本体とは反対方向に回転するため、同ベルト本体の付着物を確実に掻落すことができる。」との記述があるが、特許文献１に記載のものと同様に、「付着物除去用回転体１３」がベルト面と交差する方向へは移動しないので、やはり「ベルト本体４」が波打ち状に脈動している場合には、「付着物除去用回転体１３」が「ベルト本体４」に接触しない瞬間が生じ、「ベルト本体４」の付着物を完全に除去することができないであろうと予想される。
【００１３】
そこで本発明は、砕石、土砂等の搬送に使用されるベルトコンベヤにおいて、あまりコストをかけずに、しかも搬送ベルトを傷めることなく、搬送ベルトの表面に付着した付着物を確実に除去することのできる付着物除去装置を提供することを課題としている。
【課題を解決するための手段】
【００１４】
上記課題に対する請求項１に記載のベルトコンベヤの付着物除去装置は、ベルトコンベヤの搬送ベルト表面に付着した付着物を除去する付着物除去装置であって、搬送ベルトの搬送面と平行かつ移動方向と交差する方向の回動中心軸を中心に回動自在な支持体を設け、該支持体の一方の端部に搬送面に当接するように第一当接体を取り付けるとともに、他方の端部に搬送面の反対面に当接するように第二当接体を取り付けたことを特徴としている。
【００１５】
この構成によれば、第一当接体が搬送ベルトの搬送面に当接することにより、該搬送面に付着した付着物が除去される。第一当接体を支持する支持体が回動中心軸を中心に回動自在であるので、搬送ベルトが波打ち状に脈動している場合、搬送ベルトの動きに合わせて第一支持体も移動し、第一当接体が常に搬送ベルトに当接する状態に保たれ、付着物の除去が確実に行われる。
【００１６】
また、請求項２に記載のベルトコンベヤの付着物除去装置は、請求項１の内容に加えて、第一当接体及び第二当接体が、搬送面と平行かつ移動方向と交差する方向の回転中心軸を中心に回転自在なローラである構成とした。
【００１７】
さらに、請求項３に記載のベルトコンベヤの付着物除去装置は、請求項１の内容に加えて、第一当接体が、薄肉の端部が搬送面に交差する角度で当該搬送面に当接するように支持体に固定されたスクレーパであり、かつ、第二当接体が、搬送面と平行かつ移動方向と交差する方向の回転中心軸を中心に回転自在なローラである構成とした。
【００１８】
さらに、請求項４に記載のベルトコンベヤの付着物除去装置は、請求項１の内容に加えて、第一当接体及び第二当接体が、搬送面と平行かつ移動方向と交差する方向の回転中心軸を中心に回転自在なローラであり、さらに、搬送ベルトを挟んで第二当接体と対向する位置に、薄肉の端部が搬送面に交差する角度で当該搬送面に当接するようにスクレーパが支持体に固定して設けられている構成とした。
【発明の効果】
【００１９】
請求項１乃至４に記載のベルトコンベヤの付着物除去装置は、搬送ベルトの波打ち状の脈動に応じて、支持体の回動中心軸を中心して第一当接体及び第二当接体が回動し、両当接体が常に搬送ベルトに接する状態に保たれるので、搬送ベルトの搬送面に付着した付着物を、第一当接体により確実に除去することができる。
【００２０】
請求項２の場合は、第一当接体及び第二当接体が、搬送面と平行かつ移動方向と交差する方向の回転中心軸を中心に回転自在なローラであるので、両当接体と搬送ベルトとの摩擦が少なく、該搬送ベルトを傷めないという利点がある。
【００２１】
また、請求項３の場合は、第一当接体が搬送ベルトの付着物を掻き落とすのに適した形状のスクレーパであるので、付着物の除去が効率的に行われるとともに、第二当接体はローラであるので、搬送ベルトを傷めることが少ないという利点がある。
【００２２】
さらに、請求項４の場合は、第一当接体及び第二当接体が、搬送面と平行かつ移動方向と交差する方向の回転中心軸を中心に回転自在なローラであるので、両当接体と搬送ベルトとの摩擦が少なく、該搬送ベルトを傷めないという利点があるとともに、搬送ベルトを挟んで第二当接体と対向する位置に、搬送ベルトの付着物を掻き落とすのに適した形状のスクレーパが設けられているので、付着物の除去が効率的に行われるという利点がある。
【発明を実施するための最良の形態】
【００２３】
図１に示すように、ベルトコンベヤにおける搬送面が下方に面する状態で移動する搬送ベルト１の戻り経路部１ａに、本発明の付着物除去装置１０を設ける。符合２は駆動プーリ、３はテンションプーリである。付着物除去装置１０は、搬送ベルト１の搬送面と平行かつ移動方向と交差する方向の回動中心軸を中心に回動自在な支持体を設け、この支持体の一方の端部に搬送面に当接するように第一当接体を取り付けるとともに、他方の端部に搬送面の反対面に当接するように第二当接体を取り付ける。支持体は、第一当接体が搬送ベルトの搬送面に押し付けられ、かつ第二当接体が搬送面の反対面に押し付けられるように付勢する。付着物除去装置１０の下方には、除去された付着物を回収するための回収シュート４を設置する。
【実施例１】
【００２４】
図２は実施例１の斜視図である。この付着物除去装置１０Ａは、搬送ベルト１の両側に配した細長い板状の支持体１１Ａ，１１Ａが、ベルトコンベヤのフレームに取り付けた軸受１２，１２によって回動支点軸１３，１３を中心に回動自在に支持されている。両支持体１１Ａ，１１Ａの一方の端部間には第一当接体である第一ローラ１４が回転自在に取り付けられ、他方の端部間には第二当接体である第二ローラ１５が回転自在に取り付けられている。支持体１１Ａ，１１Ａはスプリング１６，１６によって図の矢印方向に付勢され、第一ローラ１４は搬送ベルト１の搬送面に、第二ローラ１５はその反対面に押し付けられている。
【００２５】
ベルトコンベヤを作動させると、搬送ベルト１の移動に伴って、該搬送ベルトに接触した状態で第一ローラ１４及び第二ローラ１５が転動する。そのとき、第一ローラ１４が搬送ベルト１の搬送面に付着している付着物を擦り落として除去する。搬送ベルト１が波打ち状に脈動しても、第一ローラ１４及び第二ローラ１５が回動支点軸１３，１３を中心に回動して常に搬送ベルト１に接触する状態に保たれるので、付着物の擦り落とし残しがなく、付着物を確実に除去できる。
【００２６】
この実施例１の場合、第一ローラ１４が転動することにより、該ローラと搬送ベルト１との摩擦が少なく、搬送ベルト１の傷みが少ないという利点がある反面、付着力が強固な付着物については除去が難しいという難点がある。したがって、比較的付着力の弱い付着物の除去に向いている。
【実施例２】
【００２７】
図３は実施例２の斜視図である。この付着物除去装置１０Ｂは、実施例１と同様の支持体１１Ｂ，１１Ｂを備え、該支持体の一方の端部間には第一当接体であるスクレーパ１７が固定して取り付けられ、他方の端部間には第二当接体であるローラ１５が回転自在に取り付けられている。スクレーパ１７は、硬質ゴム、樹脂、金属等で成形された薄肉の板で、その端部が搬送ベルト１の搬送面にほぼ直角に当接するように取り付けられている。
【００２８】
ベルトコンベヤを作動させると、搬送ベルト１の移動に伴って該搬送ベルトに接触した状態でローラ１５が転動する一方、スクレーパ１７が搬送ベルト１の搬送面に押し付けられて付着物を掻き落として除去する。搬送ベルト１が波打ち状に脈動しても、ローラ１５及びスクレーパ１７が回動支点軸１３，１３を中心に回動して常に搬送ベルト１に接触する状態に保たれるので、付着物を確実に除去できる。
【００２９】
この実施例２の場合、スクレーパ１７によって付着物を強力に除去することができるので、付着力の強い付着物の除去に向いている。なお、スクレーパ１７及びローラ１５が回動支点軸１３，１３を中心に回動することにより、搬送ベルト１とスクレーパ１７との接触圧が大きくなりすぎるのを回避するので、あまり搬送ベルト１が傷むことはない。
【実施例３】
【００３０】
図４は実施例３の斜視図である。この付着物除去装置１０Ｃは、支持体１１Ｃ，１１Ｃの一方の端部間に第一当接体である第一ローラ１４が回転自在に取り付けられ、他方の端部間に第二当接体である第二ローラ１５が回転自在に取り付けられているとともに、搬送ベルト１を挟んで第二ローラ１５と対向する位置にスクレーパ１７が固定して取り付けられている。スクレーパ１７は、実施例２のものと同様に、硬質ゴム、樹脂、金属等で成形された薄肉の板で、その端部が搬送ベルト１の搬送面にほぼ直角に当接するように取り付けられている。
【００３１】
ベルトコンベヤを作動させると、搬送ベルト１の移動に伴って該搬送ベルトに接触した状態で第一ローラ１４及び第二ローラ１５が転動する一方、スクレーパ１７が搬送ベルト１の搬送面に当接する状態で相対移動することにより、付着物を掻き落として除去する。搬送ベルト１が波打ち動作に関係なく、スクレーパ１７が搬送ベルト１に対して常に一定位置に保持されるので、付着物を確実に除去できる。また、スクレーパ１７から搬送ベルト１へ直接に圧力がかからないので、搬送ベルト１の傷みが少ない。
【００３２】
この実施例３の場合、実施例１及び実施例２のそれぞれの利点を備え、搬送ベルト１を傷めることなく、付着物を確実かつ強力に除去することができるので、広汎な種類の付着物の除去に適用可能である。
【産業上の利用可能性】
【００３３】
本発明の付着物除去装置は、実施例１〜３に示されるように種々の形態が考えられ、ベルトコンベヤの形態や搬送物の種類に応じた適用が可能である。
【図面の簡単な説明】
【００３４】
【図１】付着物除去装置の設置状況を示す図である。
【図２】付着物除去装置の斜視図である。（実施例１）
【図３】付着物除去装置の斜視図である。（実施例２）
【図４】付着物除去装置の斜視図である。（実施例３）
【符号の説明】
【００３５】
１  搬送ベルト
１０  付着物除去装置
１１  支持体
１４  ローラ（第一当接体）
１５  ローラ（第二当接体）
１６  スプリング
１７  スクレーパ（第一当接体）
【図１】
2005263407.tif 000003
【図２】
2005263407.tif 000004
【図３】
2005263407.tif 000005
【図４】
2005263407.tif 000006